(57)【要約】      （修正有）【課題】ノズル形成面に被記録媒体の毛羽が接触して、吐出不良が生じることを抑制できる記録装置を提供する。【解決手段】液体を吐出可能なノズルＮが形成されるノズル形成面２０を有する記録ヘッド７と、被記録媒体と記録ヘッド７とを相対移動させる移動部と、相対移動の相対移動方向Ｂにおける記録ヘッド７の先頭側に設けられ、相対移動に伴って被記録媒体の毛羽に接触して該毛羽を押し倒すことでノズル形成面２０を保護する保護部２２と、を備え、保護部２２は、ノズル形成面２０からの長さＬが可変に構成されている。【選択図】図４
2016168759.tif 000002
【特許請求の範囲】
【請求項１】
液体を吐出可能なノズルが形成されるノズル形成面を有する記録ヘッドと、
被記録媒体と前記記録ヘッドとを相対移動させる移動部と、
前記相対移動の相対移動方向における前記記録ヘッドの先頭側に設けられ、前記相対移動に伴って前記被記録媒体の毛羽に接触して該毛羽を押し倒すことで前記ノズル形成面を保護する保護部と、を備え、
前記保護部は、前記ノズル形成面からの長さが可変に構成されていることを特徴とする記録装置。
【請求項２】
請求項１に記載の記録装置において、
前記保護部は、前記ノズル形成面における前記ノズルの非形成領域の少なくとも一部を覆うカバー部であることを特徴とする記録装置。
【請求項３】
請求項１又は２に記載の記録装置において、
前記長さ及び前記相対移動の速度は、前記保護部で押し倒された前記毛羽が立ち上がる時間よりも、前記相対移動に伴って該毛羽の位置を前記ノズル形成面が通過する時間のほうが短くなるように調整可能であることを特徴とする記録装置。
【請求項４】
請求項３に記載の記録装置において、
前記長さをＬメートルとし、前記保護部で押し倒された前記毛羽が立ち上がる際の角速度をｖメートル／秒とし、前記相対移動の速度をＶメートル／秒とし、前記相対移動方向における前記ノズル形成面の長さをＷメートルとしたときに、下記式（Ｉ）を満たすことを特徴とする記録装置。
式（Ｉ）・・・Ｌ  ＞  （２／π）・（ｖ／Ｖ）・Ｗ
【請求項５】
請求項１から４のいずれか１項に記載の記録装置において、
前記保護部は、前記相対移動において、前記液体により画像が形成される前記被記録媒体の記録面とは非接触となるよう構成されていることを特徴とする記録装置。
【請求項６】
請求項１から５のいずれか１項に記載の記録装置において、
前記記録ヘッドを複数備え、
前記保護部は、複数の前記記録ヘッドに対応して、前記記録ヘッド各々の前記先頭側に設けられていることを特徴とする記録装置。
【発明の詳細な説明】
【技術分野】
【０００１】
本発明は、記録装置に関する。
【背景技術】
【０００２】
従来から、ノズルからインクなどの液体を吐出して記録する記録ヘッドを備える記録装置が使用されている。このような記録装置においては、様々な被記録媒体に記録がなされる。そして、被記録媒体によっては毛羽が生じているものがあり、このような被記録媒体に記録を行う際、不具合が生じる場合がある。そこで、毛羽が生じている被記録媒体に記録を行う際の不具合を抑制することが可能な記録装置が開示されている。  
例えば、特許文献１には、被記録媒体の毛羽により、被記録媒体の記録面（生地本体表面）に届かなかったインクを除去可能なワイパーを備える記録装置が開示されている。
【先行技術文献】
【特許文献】
【０００３】
【特許文献１】特開２０１２−１１２０７０号公報
【発明の概要】
【発明が解決しようとする課題】
【０００４】
特許文献１の記録装置を使用すれば、被記録媒体の毛羽により、被記録媒体の記録面に届かなかったインクを除去することが可能である。しかしながら、毛羽が生じている被記録媒体に記録を行う際の不具合には、他にも様々なものがあり、例えば、記録ヘッドのノズル形成面に被記録媒体の毛羽が接触して液体の吐出不良が生じる不具合がある。そして、毛羽の長さや該毛羽のコシの強さなどは被記録媒体の種類により様々であることから、ノズル形成面に毛羽が接触することを抑制するのは困難であった。
【０００５】
そこで、本発明の目的は、ノズル形成面に被記録媒体の毛羽が接触して、液体の吐出不良が生じることを抑制することである。
【課題を解決するための手段】
【０００６】
上記課題を解決するための本発明の第１の態様の記録装置は、液体を吐出可能なノズルが形成されるノズル形成面を有する記録ヘッドと、被記録媒体と前記記録ヘッドとを相対移動させる移動部と、前記相対移動の相対移動方向における前記記録ヘッドの先頭側に設けられ、前記相対移動に伴って前記被記録媒体の毛羽に接触して該毛羽を押し倒すことで前記ノズル形成面を保護する保護部と、を備え、前記保護部は、前記ノズル形成面からの長さが可変に構成されていることを特徴とする。
【０００７】
本発明の第２の態様の記録装置は、前記第１の態様において、前記保護部は、前記ノズル形成面における前記ノズルの非形成領域の少なくとも一部を覆うカバー部であることを特徴とする。
【０００８】
本発明の第３の態様の記録装置は、前記第１又は第２の態様において、前記長さ及び前記相対移動の速度は、前記保護部で押し倒された前記毛羽が立ち上がる時間よりも、前記相対移動に伴って該毛羽の位置を前記ノズル形成面が通過する時間のほうが短くなるように調整可能であることを特徴とする。
【０００９】
本発明の第４の態様の記録装置は、前記第３の態様において、前記長さをＬメートルとし、前記保護部で押し倒された前記毛羽が立ち上がる際の角速度をｖメートル／秒とし、前記相対移動の速度をＶメートル／秒とし、前記相対移動方向における前記ノズル形成面の長さをＷメートルとしたときに、下記式（Ｉ）を満たすことを特徴とする。  
式（Ｉ）・・・Ｌ  ＞  （２／π）・（ｖ／Ｖ）・Ｗ
【００１０】
本発明の第５の態様の記録装置は、前記第１から第４のいずれか１つの態様において、前記保護部は、前記相対移動において、前記液体により画像が形成される前記被記録媒体の記録面とは非接触となるよう構成されていることを特徴とする。
【００１１】
本発明の第６の態様の記録装置は、前記第１から第５のいずれか１つの態様において、前記記録ヘッドを複数備え、前記保護部は、複数の前記記録ヘッドに対応して、前記記録ヘッド各々の前記先頭側に設けられていることを特徴とする。
【発明の効果】
【００１２】
本発明によれば、ノズル形成面に被記録媒体の毛羽が接触して、液体の吐出不良が生じることを抑制することができる。
【図面の簡単な説明】
【００１３】
【図１】本発明の実施例１の記録装置を表す概略側面図。
【図２】本発明の実施例１の記録装置を表すブロック図。
【図３】本発明の実施例１の記録装置の要部を表す概略底面図。
【図４】本発明の実施例１の記録装置の要部を表す概略正面断面図。
【図５】本発明の実施例１の記録装置の要部を表す概略正面断面図。
【図６】本発明の実施例２の記録装置の要部を表す概略正面断面図。
【図７】従来の記録装置の要部を表す概略正面断面図。
【発明を実施するための形態】
【００１４】
［実施例１］（図１〜図５）  
以下に、本発明の実施例に係る記録装置について、添付図面を参照して詳細に説明する。  
最初に、本発明の実施例１に係る記録装置１の概要について説明する。  
図１は、本実施例の記録装置１の概略側面図である。
【００１５】
図１で表されるように、本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送部としての搬送機構３を備えている。また、被記録媒体Ｐの搬送方向Ａと交差する往復移動方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００１６】
なお、本実施例においては、被記録媒体Ｐとして布帛を使用している。布帛は、特に毛羽（紙や布などの表面や端部などに生じる細かい毛のようなもの）が多い被記録媒体である。このため、被記録媒体Ｐとして布帛を使用可能な記録装置において本発明は特に効果的である。しかしながら、布帛以外の被記録媒体Ｐにおいても毛羽を有するものはあり、本発明は、被記録媒体Ｐとして布帛を使用することが可能な記録装置に限定されない。
【００１７】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１８】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転し、粘着性ベルト１０は方向Ｅに移動する。  
ただし、搬送ベルトは粘着性ベルトに限定されない。例えば、静電吸着式の搬送ベルトを用いてもよい。
【００１９】
記録機構４は、ノズルＮ（図３及び図４参照）からインク（液体）を吐出可能な記録ヘッド７を備え、該記録ヘッド７を搭載するキャリッジを被記録媒体Ｐに対して往復移動方向Ｂに往復移動させるキャリッジモーター３０（図２参照）を有している。なお、図１において往復移動方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送（粘着性ベルト１０を間欠移動）させている。
【００２０】
また、詳細は後述するが、本実施例の記録ヘッド７には、ノズルＮが形成されたノズル形成面２０（図３及び図４参照）を保護するカバー部１９が設けられている。ここで、カバー部１９は、ノズル形成面２０を毛羽２１（図５参照）から保護する保護部２２としての役割を兼ね、記録ヘッド７に対して、使用する被記録媒体Ｐの種類、厚さ、等級などに応じて、搬送方向Ａ及び往復移動方向Ｂと共に交差する方向である方向Ｄに、移動可能である。
【００２１】
粘着性ベルト１０の洗浄機構１５は、複数の洗浄ローラーが回転軸方向に連結されて構成された洗浄ブラシ１３と、洗浄ブラシ１３を洗浄するための洗浄剤が入ったトレイ１４と、を有する。
【００２２】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２３】
なお、本実施例の記録装置１は、ロール状の被記録媒体Ｐを粘着性ベルト１０に支持させて搬送する記録装置であるが、このような構成の記録装置に限定されない。例えば、ロール状の被記録媒体Ｐのほか単票状の被記録媒体Ｐを、搬送部としてのローラー対で挟持して搬送可能な構成としてもよい。
【００２４】
次に、本実施例の記録装置１における電気的な構成について説明する。  
図２は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２５】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３及び保護部移動モーター３４を駆動させるためのモーター駆動部２９と接続されている。  
ここで、キャリッジモーター３０は、記録ヘッド７を搭載したキャリッジを移動させるためのモーターである。また、搬送モーター３１は、搬送ローラー８を駆動するためのモーターである。また、繰出モーター３２は、回転軸５の回転機構であり、被記録媒体Ｐを搬送機構３に送り出すために回転軸５を駆動するモーターである。また、巻取モーター３３は、巻取軸１７を回転させるための駆動モーターである。そして、保護部移動モーター３４は、保護部２２としてのカバー部１９を方向Ｄに移動するモーターである。
【００２６】
また、ＣＰＵ２４は、システムバス２５を介して、被記録媒体Ｐを切断するようカッター１６を駆動させるカッター駆動部３６と接続されている。  
さらに、ＣＰＵ２４は、システムバス２５を介して、入出力部３７と接続されており、入出力部３７は記録データ等のデータ及び信号の送受信を行うためのＰＣ３８と接続されている。
【００２７】
次に、本実施例の記録装置１の要部である、記録ヘッド７について説明する。  
図３は、本実施例の記録ヘッド７を表す概略底面図である。
【００２８】
また、図４は、本実施例の記録ヘッド７のノズル形成面２０側の全体を表す概略正面断面図である。このうち、図４（Ａ）は、保護部２２としてのカバー部１９の位置を、ノズル形成面２０からの長さＬを最小長さＬ１とした状態を表している。一方、図４（Ｂ）は、保護部２２としてのカバー部１９の位置を、ノズル形成面２０からの長さＬを最大長さＬ２とした状態を表している。
【００２９】
また、図５は、本実施例の記録ヘッド７の往復移動方向Ｂのうちの方向Ｂ１への移動中であって、記録ヘッド７のノズル形成面２０側の一部（記録ヘッド７のうちの記録ヘッド７ｄ側）を表す概略正面断面図である。このうち、図５（Ａ）は、記録ヘッド７（カバー部１９）に毛羽２１が接触する前の状態を表している。また、図５（Ｂ）は、カバー部１９に毛羽２１が接触している状態を表している。そして、図５（Ｃ）は、記録ヘッド７の往復移動方向Ｂへの移動を停止させ、ノズル形成面２０に毛羽２１が接触している状態を表している。
【００３０】
一方、図７は、従来の記録ヘッド７のノズル形成面２０側の全体を表す概略正面断面図である。このうち、図７（Ａ）は、ノズルＮに毛羽２１が接触し、記録ヘッド７のうちの記録ヘッド７ｂに不具合が生じた状態を表している。そして、図７（Ｂ）は、ノズル形成面２０にインクミストＩｍが付着し、インクミストＩｍに毛羽２１が接触して、記録ヘッド７の往復移動に伴ってノズルＮまで該インクミストＩｍが運ばれてくることにより、記録ヘッド７のうちの記録ヘッド７ｄに不具合が生じた状態を表している。
【００３１】
図７（Ａ）で表されるように、従来の記録装置においては、被記録媒体Ｐの毛羽２１がノズルＮに接触し、該接触に伴ってノズルＮにおけるインクのメニスカスが破壊され、インクの吐出不良が生じる場合があった。  
また、図７（Ｂ）で表されるように、従来の記録装置においては、インクの吐出に伴ってインクミストＩｍが発生し、インクミストＩｍが記録ヘッド７（ノズル形成面２０）に付着することがあった。そして、記録ヘッド７の往復移動に伴って、ノズル形成面２０に付着したインクミストＩｍに（例えば位置Ｉｍ０で）毛羽２１が接触し、該インクミストＩｍをノズルＮまで（例えばＩｍ１の位置まで）運び、ノズルＮにおけるインクのメニスカスを破壊し、インクの吐出不良が生じる場合があった。
【００３２】
一方、本実施例の記録装置１においては、図３から図５で表されるように、保護部２２としてのカバー部１９を備えている。このため、ノズル形成面２０に毛羽２１が接触することを抑制している。  
なお、被記録媒体Ｐには様々なものがあり、その種類、厚さ、等級などにより、保護部２２による好ましいノズル形成面２０の保護態様は変わってくる。毛羽の長さ、数、コシの強さなどが変わってくるためである。  
そこで、本実施例の記録装置１は、保護部２２としてのカバー部１９によるノズル形成面２０の保護態様が可変となるように構成されている。具体的には、図４で表されるように、カバー部１９は、ノズル形成面２０からの長さＬが最小長さＬ１から最大長さＬ２まで可変に構成されている。
【００３３】
なお、本実施例の記録装置１は、ブラック、シアン、マゼンタ及びイエローのインクを使用可能である。そして、本実施例の記録ヘッド７は、図４で表されるように、ブラック、シアン、マゼンタ及びイエローのインクに対応する各々同様の構成の記録ヘッド７ａ、７ｂ、７ｃ及び７ｄが、４つ往復移動方向Ｂに並べて構成されている。ただし、このような構成に限定されない。
【００３４】
まとめると、本実施例の記録装置１は、液体としてのインクを吐出可能なノズルＮが形成されるノズル形成面２０を有する記録ヘッド７と、被記録媒体Ｐと記録ヘッド７とを相対移動させる移動部としてのキャリッジモーター３０と、を備えている。  
そして、保護部２２としてのカバー部１９を備えており、カバー部１９はノズル形成面２０からの長さＬが可変に構成されている。ここで、図３及び図４で表されるように、カバー部１９は、往復移動方向Ｂにおける各ノズル列Ｎｒのノズル形成面２０のノズル形成領域の両側を含むように設けられている。すなわち、カバー部１９は、被記録媒体Ｐと記録ヘッド７と相対移動方向Ｂの両方向（方向Ｂ１及び方向Ｂ２）において、被記録媒体Ｐと記録ヘッド７との相対移動における相対移動方向Ｂの先頭側に設けられていると表現できる。  
このように、本実施例の記録装置１は、相対移動方向Ｂにおける記録ヘッド７の先頭側に設けられ、被記録媒体Ｐと記録ヘッド７との相対移動に伴って被記録媒体Ｐの毛羽２１に接触して該毛羽２１を押し倒すことでノズル形成面を保護する保護部２２（カバー部１９）を備えており、保護部２２はノズル形成面２０からの長さＬが可変に構成されている。このため、毛羽２１の長さや該毛羽２１のコシの強さなどに応じて、保護部２２のノズル形成面２０からの長さＬを調整することで、ノズル形成面２０に被記録媒体Ｐの毛羽２１が接触して、インクの吐出不良が生じることを抑制することができる構成になっている。
【００３５】
上記のように、本実施例の保護部２２は、ノズル形成面２０におけるノズルＮの非形成領域の少なくとも一部を覆うカバー部１９である。このため、カバー部１９により、ノズル形成面２０に被記録媒体Ｐの毛羽２１が接触してインクの吐出不良が生じることを抑制しているとともに、ノズル形成面２０のノズルＮの非形成領域の少なくとも一部を覆うことでノズル形成面２０を保護している。
【００３６】
また、本実施例の記録装置１においては、保護部２２のノズル形成面２０からの長さＬ及び記録ヘッド７の移動速度（被記録媒体Ｐと記録ヘッド７との相対移動の速度）Ｖは、保護部２２で押し倒された毛羽２１が立ち上がる時間よりも、被記録媒体Ｐと記録ヘッド７との相対移動に伴って該毛羽２１の位置をノズル形成面２０が通過する時間のほうが短くなるように調整可能である。すなわち、毛羽２１が立ち上がる前に該毛羽２１の位置からノズル形成面２０を逃がすことができるように調整可能な構成になっている。このため、効果的に、ノズル形成面２０に被記録媒体Ｐの毛羽２１が接触してインクの吐出不良が生じることを、抑制している。  
以下、図５を用いて、保護部２２のノズル形成面２０からの長さＬ及び記録ヘッド７の移動速度Ｖについて詳細に説明する。
【００３７】
毛羽２１の長さが被記録媒体Ｐとノズル形成面２０との間隔よりも長ければ、毛羽２１がノズル形成面２０に接触する可能性がある（図５（Ｃ）参照）。このような毛羽２１がある場合、図５（Ａ）で表される状態から図５（Ｂ）で表される状態に移行すると、毛羽２１はカバー部１９（保護部２２）により折り曲げられる（図５（Ｂ）参照）。そして、毛羽２１の上側にカバー部１９が無い位置（例えば図５（Ｃ）で表される位置）に記録ヘッド７が移動すると、折り曲げられた毛羽２１は元に戻ろうとする（図５（Ｃ）参照）。
【００３８】
ここで、保護部２２のノズル形成面２０からの長さをＬメートルとし、保護部２２で押し倒された毛羽２１が立ち上がる際の角速度をｖメートル／秒とし、記録ヘッド７の移動速度をＶメートル／秒とし、被記録媒体Ｐと記録ヘッド７との相対移動方向Ｂにおけるノズル形成面２０の長さをＷメートルとする。本実施例の記録装置１は、各々をこのように定義した場合において、下記式（Ｉ）を満たす。  
式（Ｉ）・・・Ｌ  ＞  （２／π）・（ｖ／Ｖ）・Ｗ  
ここで、「相対移動方向Ｂにおけるノズル形成面２０の長さ」とは、相対移動方向Ｂにおける保護部２２が保護する範囲のノズル形成面２０の長さを意味する。本実施例においては、図５で表されるように、相対移動方向Ｂにおけるカバー部１９同士の間の範囲が保護部２２が保護する範囲に該当するので、相対移動方向Ｂにおけるカバー部１９同士の間隔が相対移動方向Ｂにおけるノズル形成面２０の長さに該当する。  
ここで、上記式（Ｉ）を満たすということは、カバー部１９により折り曲げられた毛羽２１が元に戻る（ノズル形成面２０に接触する）前に、ノズル形成面２０が毛羽２１の位置から移動する（ノズル形成面２０に毛羽２１が接触する可能性がある位置からいなくなる）こととなる。また、保護部２２で押し倒された毛羽２１が立ち上がる際の角速度ｖと、相対移動方向Ｂにおけるノズル形成面２０の長さＷと、を予め把握しておくことで、保護部２２のノズル形成面２０からの長さＬ及び記録ヘッド７の移動速度Ｖを簡単に適切な値にすることができる。このため、簡単に、ノズル形成面２０に被記録媒体Ｐの毛羽２１が接触して、インクの吐出不良が生じることを抑制することができる。
【００３９】
また、本実施例のカバー部１９は、図４で表されるように方向Ｄに移動可能であり、インクにより画像が形成される被記録媒体Ｐの記録面Ｐ１とは非接触となるよう位置を調整できる。別の表現をすると、本実施例の保護部２２は、被記録媒体Ｐと記録ヘッド７との相対移動において、インクにより画像が形成される被記録媒体Ｐの記録面Ｐ１とは非接触となるよう構成することができる。  
このため、保護部２２が記録面Ｐ１と接触し、画像を損傷することや、保護部２２及び記録面Ｐ１を汚すことなどを抑制できる構成になっている。
【００４０】
また、図４で表されるように、本実施例の記録装置１は、記録ヘッド７を記録ヘッド７ａ、７ｂ、７ｃ及び７ｄと複数備え、カバー部１９は、複数の記録ヘッド７ａ、７ｂ、７ｃ及び７ｄに対応して、記録ヘッド７ａ、７ｂ、７ｃ及び７ｄ各々のノズル形成領域の相対移動方向Ｂにおける両側を含むように設けられている。別の表現をすると、本実施例の記録装置１は、記録ヘッド７を複数備え、保護部２２は複数の記録ヘッド７ａ、７ｂ、７ｃ及び７ｄに対応して記録ヘッド７ａ、７ｂ、７ｃ及び７ｄ各々の相対移動方向Ｂにおける先頭側に設けられている。このため、複数の記録ヘッド７ａ、７ｂ、７ｃ及び７ｄ各々において、対応する各々の保護部２２によりノズル形成面２０を保護することができ、ノズル形成面２０に被記録媒体Ｐの毛羽２１が接触して、インクの吐出不良が生じることを特に効果的に抑制することができる構成になっている。
【００４１】
［実施例２］（図６）  
次に、本発明の実施例２に係る記録装置について説明する。  
図６は、本実施例の記録ヘッド７のノズル形成面２０側の全体を表す概略正面断面図であり、実施例１の記録ヘッド７のノズル形成面２０側の全体を表す図４に対応する図である。このうち、図６（Ａ）は、保護部２２の位置を、ノズル形成面２０からの長さＬを最小長さＬ３とした状態を表している。一方、図４（Ｂ）は、保護部２２の位置を、ノズル形成面２０からの長さＬを最大長さＬ２とした状態を表している。なお、上記実施例１と共通する構成部材は同じ符号で示しており、詳細な説明は省略する。  
本実施例の記録装置１は、記録ヘッド７の構成のみが実施例１の記録装置１と相違する。
【００４２】
実施例１の記録ヘッド７は、保護部２２の役割を兼ねるカバー部１９を備える構成であった。  
一方、本実施例の記録ヘッド７は、カバー部１９を備えず、往復移動方向Ｂにおける両端部に板状の保護部２２を備える構成である。  
本実施例の保護部２２は、ノズル形成面２０からの長さＬが可変に構成されている。ここで、図６で表されるように、保護部２２は、往復移動方向Ｂにおける両端部に設けられている。すなわち、カバー部１９は、被記録媒体Ｐと記録ヘッド７との相対移動方向Ｂの両方向（方向Ｂ１及び方向Ｂ２）において、被記録媒体Ｐと記録ヘッド７との相対移動における相対移動方向Ｂの先頭側に設けられていると表現できる。  
このような構成により、本実施例の保護部２２は、毛羽２１の長さや該毛羽２１のコシの強さなどに応じて、保護部２２のノズル形成面２０からの長さＬを調整することで、ノズル形成面２０に被記録媒体Ｐの毛羽２１が接触して、インクの吐出不良が生じることを抑制することができる構成になっている。
【００４３】
なお、本実施例の保護部２２は、記録ヘッド７の往復移動方向Ｂにおける両端部にのみ設けられているので、相対移動方向Ｂにおけるノズル形成面２０の長さＷは、図６で表されるように、記録ヘッド７ａの方向Ｂ２の先頭側の端部から記録ヘッド７ｄの方向Ｂ１の先頭側の端部までのノズル形成面２０の長さに該当する。そして、本実施例の記録装置１も下記式（Ｉ）を満たす。  
式（Ｉ）・・・Ｌ  ＞  （２／π）・（ｖ／Ｖ）・Ｗ
【００４４】
また、上記実施例１及び２の記録装置１は、記録の際、記録ヘッド７の往復移動方向Ｂへの往復走査と被記録媒体Ｐの搬送方向Ａへの搬送を交互に行う構成の記録装置であり、往復移動方向（被記録媒体Ｐと記録ヘッド７との相対移動方向）Ｂにおける記録ヘッド７の先頭側に保護部２２を備える構成であった。  
ただし、このような構成に限定されず、例えば、ラインヘッドなどの記録装置に固定された記録ヘッドに対して被記録媒体Ｐを搬送方向Ａに搬送させて記録を行う構成としてもよい。このような構成の記録装置の場合、被記録媒体Ｐの搬送に伴って被記録媒体Ｐの毛羽２１に接触して該毛羽２１を押し倒すことでノズル形成面２０を保護する保護部２２が、少なくとも搬送方向Ａにおける記録ヘッドの上流側（被記録媒体Ｐと記録ヘッドとの相対移動方向における記録ヘッドの先頭側に該当）に設けられ、ノズル形成面２０からの長さＬが可変に構成されていればよい。
【００４５】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４６】
本発明の第１の態様の記録装置１は、液体を吐出可能なノズルＮが形成されるノズル形成面２０を有する記録ヘッド７と、被記録媒体Ｐと記録ヘッド７とを相対移動させる移動部３０と、前記相対移動の相対移動方向Ｂにおける記録ヘッド７の先頭側に設けられ、前記相対移動に伴って被記録媒体Ｐの毛羽２１に接触して該毛羽２１を押し倒すことでノズル形成面２０を保護する保護部２２と、を備え、保護部２２は、ノズル形成面２０からの長さＬが可変に構成されていることを特徴とする。
【００４７】
本態様によれば、記録ヘッド７の相対移動方向Ｂの先頭側に設けられ、前記相対移動に伴って被記録媒体Ｐの毛羽２１に接触して該毛羽２１を押し倒すことでノズル形成面２０を保護する保護部２２を備えており、保護部２２はノズル形成面２０からの長さＬが可変に構成されている。このため、毛羽２１の長さや該毛羽２１のコシの強さなどに応じて、保護部２２のノズル形成面２０からの長さＬを調整することで、ノズル形成面２０に被記録媒体Ｐの毛羽２１が接触して、液体の吐出不良が生じることを抑制することができる。
【００４８】
本発明の第２の態様の記録装置１は、前記第１の態様において、保護部２２は、ノズル形成面２０におけるノズルＮの非形成領域の少なくとも一部を覆うカバー部１９であることを特徴とする。
【００４９】
本態様によれば、保護部２２は、ノズル形成面２０におけるノズルＮの非形成領域の少なくとも一部を覆うカバー部１９である。このため、該保護部１９により、ノズル形成面２０に被記録媒体Ｐの毛羽２１が接触して液体の吐出不良が生じることを抑制することができるとともに、ノズル形成面２０のノズルＮの非形成領域の少なくとも一部を覆うことでノズル形成面２０を保護することもできる。
【００５０】
本発明の第３の態様の記録装置１は、前記第１又は第２の態様において、前記長さＬ及び前記相対移動の速度Ｖは、保護部２２で押し倒された毛羽２１が立ち上がる時間よりも、前記相対移動に伴って該毛羽２１の位置をノズル形成面２０が通過する時間のほうが短くなるように調整可能であることを特徴とする。
【００５１】
本態様によれば、前記長さＬ及び相対移動の速度Ｖは、保護部２２で押し倒された毛羽２１が立ち上がる時間よりも、前記相対移動に伴って該毛羽２１の位置をノズル形成面２０が通過する時間のほうが短くなるように調整可能である。すなわち、毛羽２１が立ち上がる前に該毛羽２１の位置からノズル形成面２０を逃がすことができる。このため、効果的に、ノズル形成面２０に被記録媒体Ｐの毛羽２１が接触して、液体の吐出不良が生じることを抑制することができる。
【００５２】
本発明の第４の態様の記録装置１は、前記第３の態様において、前記長さをＬメートルとし、保護部２２で押し倒された毛羽２１が立ち上がる際の角速度をｖメートル／秒とし、前記相対移動の速度をＶメートル／秒とし、相対移動方向Ｂにおけるノズル形成面２０の長さをＷメートルとしたときに、下記式（Ｉ）を満たすことを特徴とする。  
式（Ｉ）・・・Ｌ  ＞  （２／π）・（ｖ／Ｖ）・Ｗ
【００５３】
ここで、「相対移動方向Ｂにおけるノズル形成面２０の長さ」とは、相対移動方向Ｂにおける保護部２２が保護する範囲のノズル形成面２０の長さを意味する。  
本態様によれば、保護部２２で押し倒された毛羽２１が立ち上がる際の角速度ｖと、相対移動方向Ｂにおけるノズル形成面２０の長さＷと、を予め把握しておくことで、前記長さＬ及び前記相対移動の速度Ｖを簡単に適切な値にすることができる。このため、簡単に、ノズル形成面２０に被記録媒体Ｐの毛羽２１が接触して、液体の吐出不良が生じることを抑制することができる。
【００５４】
本発明の第５の態様の記録装置１は、前記第１から第４のいずれか１つの態様において、保護部２２は、前記相対移動において、前記液体により画像が形成される被記録媒体Ｐの記録面Ｐ１とは非接触となるよう構成されていることを特徴とする。
【００５５】
本態様によれば、保護部２２は、前記相対移動において、被記録媒体Ｐの記録面Ｐ１とは非接触となるよう構成されている。このため、保護部２２が記録面Ｐ１と接触し、画像を損傷することや、保護部２２及び記録面Ｐ１を汚すことなどを抑制できる。
【００５６】
本発明の第６の態様の記録装置１は、前記第１から第５のいずれか１つの態様において、記録ヘッド７を複数備え、保護部２２は、複数の記録ヘッド７ａ、７ｂ、７ｃ及び７ｄに対応して、記録ヘッド７ａ、７ｂ、７ｃ及び７ｄ各々の前記先頭側に設けられていることを特徴とする。
【００５７】
本態様によれば、記録ヘッド７を複数備え、保護部２２は複数の記録ヘッド７ａ、７ｂ、７ｃ及び７ｄに対応して記録ヘッド７ａ、７ｂ、７ｃ及び７ｄ各々の先頭側に設けられている。このため、複数の記録ヘッド７ａ、７ｂ、７ｃ及び７ｄ各々において、対応する各々の保護部２２によりノズル形成面２０を保護することができ、ノズル形成面２０に被記録媒体Ｐの毛羽２１が接触して、液体の吐出不良が生じることを特に効果的に抑制することができる。
【符号の説明】
【００５８】
１…記録装置、２…繰出部、３…搬送機構、４…記録機構、５…繰出部２の回転軸、
６…従動ローラー、７…記録ヘッド、８…搬送ローラー、９…従動ローラー、
１０…粘着性ベルト、１１…従動ローラー、１２…加圧ローラー、１３…洗浄ブラシ、
１４…トレイ、１５…洗浄機構、１６…カッター、１７…巻取軸、１８…巻取機構、
１９…カバー部、２０…ノズル形成面、２１…毛羽、２２…保護部、２３…制御部、
２４…ＣＰＵ、２５…システムバス、２６…ＲＯＭ、２７…ＲＡＭ、
２８…ヘッド駆動部、２９…モーター駆動部、３０…キャリッジモーター（移動部）、
３１…搬送モーター、３２…繰出モーター、３３…巻取モーター、
３４…保護部移動モーター、３６…カッター駆動部、３７…入出力部、３８…ＰＣ、
Ｆ…支持面、Ｌ…ノズル形成面２０からの長さ、Ｎ…ノズル、Ｎｒ…ノズル列、
Ｐ…被記録媒体、Ｐ１…記録面、Ｒ１…被記録媒体Ｐのロール、
Ｒ２…被記録媒体Ｐのロール、Ｖ…記録ヘッド７の移動速度、
ｖ…保護部２２で押し倒された毛羽２１が立ち上がる際の角速度、
Ｗ…ノズル形成面２０の長さ
【図１】
2016168759.tif 000003
【図２】
2016168759.tif 000004
【図３】
2016168759.tif 000005
【図４】
2016168759.tif 000006
【図５】
2016168759.tif 000007
【図６】
2016168759.tif 000008
【図７】
2016168759.tif 000009